(57)【特許請求の範囲】
【請求項１】
複数の通信端末を認識し、前記通信端末における通話を制御すると共に、前記複数の通信端末内で構成されるグループ内でのグループ会議通話を制御する通信中継局を複数備え、異なるグループに属する通信端末間のグループ会議通話が可能な通信システムであって、
前記複数の通信中継局の中で、通信中継局をまたがって広域にグループ会議通話が為される広域グループを管理し、広域グループ会議を行う権限を持つ広域グループ呼び出し特番と自通信中継局が管理するグループ呼び出し特番と当該特番に対応するメンバーの呼び出し番号を記憶する特番テーブルを備え、前記特番テーブルに記憶する広域グループ呼び出し特番が呼び出される広域グループ会議呼出を受けると前記特番テーブルに基づいて前記広域グループ呼び出し特番に対応した関連するグループの通信中継局へ広域グループ会議開催を通知し、当該通知に応答があった通信中継局との通信を確立する通信中継局を広域通信中継局とし、
前記グループ内の通信端末から広域グループ会議呼出を受けた通信中継局は、広域グループ呼び出し特番とグループ呼び出し特番とメンバーの呼び出し番号を記憶する特番テーブルに基づいて前記広域通信中継局に当該広域グループ会議呼出の広域グループ呼び出し特番を発信し、前記広域通信中継局から広域グループ会議開催の通知を受けると、前記特番テーブルに記憶するグループ呼び出し特番に対応するメンバーの呼び出し番号に基づいて、前記広域グループ会議呼出を発信した通信端末を除いて当該広域グループに属する当該グループのメンバーの通信端末に前記通知を送信し、更に当該通知への応答を前記広域通信中継局に送信する通信中継局であることを特徴とする通信システム。
【請求項２】
各通信中継局は、広域グループ会議通話時に、広域グループ内の自局で認識する通信端末の音声データを合成して広域通信中継局に送信し、前記音声データを送信元となる通信端末を除いた通信端末に送信すると共に、前記広域通信中継局から受信した音声データを前記通信端末に送信する通信中継局であり、
前記広域通信中継局は、前記各通信中継局から送信された音声データの内で、音声データの送信元となる通信中継局からの音声データを除いた音声データの合成を各通信中継局に対応して行い、前記送信元の通信中継局各々に対応して送信する広域通信中継局であることを特徴とする請求項１記載の通信システム。
【請求項３】
広域通信中継局は、広域グループ内の自局で認識する通信端末の音声データを各通信中継局に送信する音声データに合成して送信すると共に、
前記自局内の通信端末の音声データを送信元となる通信端末を除いた前記自局内の通信端末に送信すると共に、前記他の全ての通信中継局から受信した音声データを合成して前記自局内の通信端末に送信する広域通信中継局であることを特徴とする請求項２記載の通信システム。
【請求項４】
通信中継局と、広域通信中継局とを有し、通信中継局と広域通信中継局はそれぞれ、中央装置と副装置とを備え、前記複数の副装置をメッシュ接続する専用線とを有する通信システムであって、
前記中央装置内の送受信制御部と前記副装置内の送受信制御部は、光ケーブルで接続されて音声データ及び制御命令信号の送信が可能であり、前記光ケーブルは、本系列及び予備系列とに対応させるため経路は二重化された構成となっており、
前記通信中継局は、複数の通信端末を認識し、通信端末における通話を制御すると共に、前記複数の通信端末内で構成されるグループ内でのグループ会議通話を制御する通信中継局であり、
前記広域通信中継局は、前記中央装置の広域グループ会議通話の通信制御を行うセンター局とし、広域グループ呼び出しがあると、各中央装置で管理しているグループのメンバーの通信端末を呼び出し、応答のあった通信端末間で広域グループ会議通話を行う広域通信中継局であり、
前記通信中継局の副装置は、自局内の各通信端末と当該通信中継局の中央装置との間の通信データの送受信を行い、前記広域通信中継局の副装置との間で通信データの送受信を行う副装置であり、
前記通信中継局の中央装置は、自局内で複数の通信端末を認識し、前記通信端末における通話を制御すると共に、前記複数の通信端末内で構成されるグループ内でのグループ会議通話を制御すると共に、前記グループ内の通信端末から広域グループ会議呼出を受けると、自局の副装置を介して前記広域通信中継局に当該広域グループ会議呼出を発信し、前記広域通信中継局から当該副装置を介して広域グループ会議開催の通知を受けると前記広域グループ会議呼出を発信した通信端末を除いて当該広域グループに属する、自局内のグループの通信端末に当該副装置を介して前記通知を送信し、更に当該通知への応答を前記広域通信中継局に当該副装置を介して送信する中央装置であり、
前記広域通信中継局の副装置は、自局内の各通信端末と当該広域通信中継局の中央装置との間の通信データの送受信を行い、前記通信中継局の副装置との間で通信データの送受信を行う副装置であり、
前記広域通信中継局の中央装置は、自局内で複数の通信端末を認識し、前記通信端末における通話を制御すると共に、前記複数の通信端末内で構成されるグループ内でのグループ会議通話を制御すると共に、前記通信中継局をまたがって広域にグループ会議通話が為される広域グループを管理し、他の中央装置で管理されているグループのメンバーの通信端末を呼び出し、広域グループ会議を行う権限を持つ広域グループ呼び出し特番が呼び出されると、関連するグループの通信中継局に前記広域通信中継局の副装置を介して広域グループ会議開催の通知を発信すると共に、自局の通信端末には広域グループ会議呼出を発信した通信端末を除いて広域グループ会議開催の通知を発信し、当該通知に応答があった通信中継局及び自局内の通信端末との通信を確立する中央装置であることを特徴とする通信システム。
【請求項５】
各通信中継局の中央装置は、広域グループ会議通話時に、広域グループ内の自局で認識する通信端末の音声データを合成して自局の副装置を介して広域通信中継局に送信し、前記音声データを送信元となる通信端末を除いた通信端末に送信すると共に、前記広域通信中継局から受信した音声データを前記通信端末に送信する通信中継局の中央装置であり、
前記広域通信中継局の中央装置は、前記各通信中継局から送信された音声データの内で、音声データの送信元となる通信中継局からの音声データを除いた音声データの合成を各通信中継局に対応して行い、自局の副装置を介して前記送信元の通信中継局各々に対応して送信する広域通信中継局の中央装置であることを特徴とする請求項４記載の通信システム。
【請求項６】
広域通信中継局の中央装置は、広域グループ内の自局で認識する通信端末の音声データを各通信中継局に送信する音声データに合成して送信すると共に、
前記自局内の通信端末の音声データを送信元となる通信端末を除いた前記自局内の通信端末に送信すると共に、前記他の全ての通信中継局の中央装置から受信した音声データを合成して前記自局内の通信端末に送信する広域通信中継局の中央装置であることを特徴とする請求項５記載の通信システム。
【請求項７】
各中央装置は、広域グループの音声データを合成する会議トランクと、前記合成された合成音声データを送信先毎に時分割で切り替えて出力する時分割スイッチと、前記会議トランク及び前記時分割スイッチの制御を行う制御部とを備え、
前記会議トランクは、各通信中継局から送信された音声データの内で、音声データの送信元となる通信中継局からの音声データを除いた音声データの合成を各通信中継局に対応して行う会議トランクであり、
前記時分割スイッチは、前記対応して合成された音声データを送信元の通信中継局各々に対応して送信する時分割スイッチであり、
前記制御部は、前記時分割スイッチに対しては、合成された音声データの出力先及び出力するハイウェイ／チャネルの制御命令を、会議トランクに対しては、出力先毎に合成する対象の音声データを決定する制御命令を、それぞれ出力する制御部であり、
前記広域中継局の制御部は、他の中央装置で管理されるグループの情報が登録されており、自局のグループ及びこれらのグループで構成される広域グループを認識する制御部であることを特徴とする請求項５又は６記載の通信システム。
【請求項８】
会議トランクは、音声合成時分割スイッチと、音声合成回路と、前記音声合成時分割スイッチ及び前記音声合成回路を制御するＭＰＵとを備え、
前記音声合成時分割スイッチは、前記ＭＰＵの制御に基づいて副装置インターフェースから出力された各通信端末の音声データを時分割で切り替えて前記音声合成回路に出力し、前記音声合成回路で合成された音声データを時分割で切り替えて時分割に出力する音声合成時分割スイッチであり、
前記音声合成回路は、前記ＭＰＵの制御に基づいて、前記音声合成時分割スイッチから出力された音声データを合成し、合成した音声データを前記音声合成時分割スイッチに出力する音声合成回路であり、
前記ＭＰＵは、前記音声合成時分割スイッチ及び前記音声合成回路に対して、合成対象となる音声データの選択及び音声データの入出力のタイミングの制御を行うＭＰＵであることを特徴とする請求項７記載の通信システム。
【請求項９】
各通信中継局は、広域グループ会議通話時に、他の通信中継局から送信された音声データと、自局のグループのメンバーの通信端末からの音声データのうち、音声データの送信元の通信端末から音声データ以外の音声データを会議トランクにおいて時分割に合成し、合成した音声データを時分割で自局のグループの通信端末に出力することを特徴とする請求項７記載の通信システム。
【請求項１０】
各中央装置において、中央装置の認識できる通信端末は、特番テーブルに記憶されているグループ呼び出し番号に基づいて、呼び出し番号に対応するグループのメンバーの通信端末を呼び出し、対象となるグループのメンバーの他の通信端末を一斉に呼び出すことを特徴とする請求項４記載の通信システム。
【請求項１１】
センター局である広域中継局の中央装置は、自局のグループのメンバーの通信端末全てが通信を終了しても、他の中央装置が参入している限り広域グループ会議通話を終了せず、参入している他の中央装置において、グループのメンバーの通信端末が全て通信を終了すると、該当する中央装置との通信を終了することを特徴とする請求項４記載の通信システム。
【請求項１２】
中央装置は、制御部の制御命令に基づいてプッシュボタン信号の受信処理やトーンの発生処理を行い、通信端末との接続処理等の際に処理結果を送信する受信ボタン・トーン処理部を有することを特徴とする請求項４記載の通信システム。
【請求項１３】
中央装置は、外部の機器として、管理用コンソール、アラームパネル又は位置検索端末等に接続することで、グループ会議通話の通信範囲や通信負荷状態を監視することを特徴とする請求項４記載の通信システム。
【発明の詳細な説明】
【０００１】
【発明の属する技術分野】
本発明は、複数の通信端末間でのグループ会議通話を行う通信システムに係り、特に異なるグループに属する通信端末間のグループ会議通話が可能な通信システムに関する。
【０００２】
【従来の技術】
従来のグループ会議を行う通信システムについて図１１を用いて説明する。図１１はグループ会議を行う従来の通信システムの構成ブロック図である。
図１１において、中央装置（Central Station：図ではＣＳ、以下ＣＳという）８０は、ＰＢＸ（Private Branch eXchange）で管理されているＰＢＸ端末及び他の通信端末間の通信制御を行う装置である。
【０００３】
ＣＳ８０の制御部８１には、ＰＢＸ管理下の内線端末及び通信対象の各種通信端末の内線番号等の端末情報が登録されている。また制御部８１は、端末情報が登録されている通信端末で構成されるグループについての情報も登録している。ＣＳ８０は情報の登録されている通信端末（以下、通信端末という）からの通知を認識し、通信端末同士の通信や、グループのメンバーである通信端末を対象としたグループ会議通話制御を行う。
【０００４】
副装置（Sub Control Station：図ではＳＣＳ、以下ＳＣＳという）８５は各種の通信端末との通信を行うための通信インターフェース（図示せず）を通信端末の種類毎に有している。
また、ＳＣＳ８５は、これら通信インターフェースを介して各種の通信端末との通信を行うと共に、ＣＳ８０のＳＣＳインターフェース（図ではＳＣＳ  Ｉ／Ｆ）８４を介してＣＳ８０との間で通信データの送受信を行う。
図１１において、ＳＣＳ８５は通信対象のＰＢＸ９４が管理するＰＢＸ端末９５の他に、基地局９１を介した無線通信端末９２や、有線電話機９３との双方向通信が可能である。
【０００５】
従来の通信システムにおけるグループ会議の動作について、図１１を用いて説明する。
グループのメンバーである通信端末からグループ会議の呼び出し通知が発生すると、呼び出し通知はＳＣＳ８５、ＣＳ８０のＳＣＳインターフェース８４を経由して制御部８１に到達する。
【０００６】
制御部８１は呼び出し通知の旨の通信を受信すると、グループ会議を行っていない場合はグループのメンバーである通信端末全てに対して一定時間呼び出しをかけ、応答のあった通信端末間でグループ会議を開始する。既にグループ会議を行っている場合は、制御部８１は呼び出し通知の旨のあった通信端末をグループ会議に参入させる。
【０００７】
グループ会議を行うにあたって、各通信端末から発信された音声データは、ＣＳ８０の会議トランク８３に出力される。会議トランク８３では制御部８１からの制御命令に基づいて、各通信端末の音声データを合成し、時分割スイッチ８２に出力する。時分割スイッチ８２は会議トランク８３から出力された音声合成データを、制御部８１からの制御命令に基づいて、時分割でグループのメンバーの通信端末にそれぞれ送信する。
【０００８】
すなわち従来の通信システムでは、会議トランク８３において、グループ会議に参入している自局のグループの各通信端末の音声データのうち、送信元となる通信端末以外の通信端末の音声データの合成を通信端末毎に行い、時分割スイッチ８２において通信端末毎に時分割で切り替えて出力することにより、通信端末間でのグループ会議通話を実現している。
【０００９】
【発明が解決しようとする課題】
しかしながら、上記従来の通信システムでは、他のＣＳで管理されている通信端末とのグループ会議通話ができないという問題点があった。
図１１で示されている従来の通信システムでは、ＣＳ８０の制御部８１に端末情報が登録されている通信端末でのみグループ会議が可能である。よって従来の通信システムでは、他のＣＳで管理されている通信端末からはグループ会議の呼び出し通知を受信できず、通信端末へのグループ会議の呼び出し通知又はグループ会議への参入を行うことができなかった。
【００１０】
一方、一つのＣＳで管理できる通信端末の数や通信範囲には限界があるため、より大規模で広範囲なグループ会議通話を行えるような通信システムの要請があるにもかかわらず、従来の通信システムではこの要望に応えることができなかった。
【００１１】
本発明は上記実情に鑑みて為されたもので、広範囲で大規模なグループ会議通話を実現する通信システムを提供することを目的とする。
【００１２】
【課題を解決するための手段】
上記従来例の問題点を解決するための本発明は、複数の通信端末を認識し、通信端末における通話を制御すると共に、複数の通信端末内で構成されるグループ内でのグループ会議通話を制御する通信中継局を複数備え、異なるグループに属する通信端末間のグループ会議通話が可能な通信システムであって、複数の通信中継局の中で、通信中継局をまたがって広域にグループ会議通話が為される広域グループを管理し、広域グループ会議を行う権限を持つ広域グループ呼び出し特番と自通信中継局が管理するグループ呼び出し特番と当該特番に対応するメンバーの呼び出し番号を記憶する特番テーブルを備え、特番テーブルに記憶する広域グループ呼び出し特番が呼び出される広域グループ会議呼出を受けると特番テーブルに基づいて広域グループ呼び出し特番に対応した関連するグループの通信中継局へ広域グループ会議開催を通知し、当該通知に応答があった通信中継局との通信を確立する通信中継局を広域通信中継局とし、グループ内の通信端末から広域グループ会議呼出を受けた通信中継局は、広域グループ呼び出し特番とグループ呼び出し特番とメンバーの呼び出し番号を記憶する特番テーブルに基づいて広域通信中継局に当該広域グループ会議呼出の広域グループ呼び出し特番を発信し、広域通信中継局から広域グループ会議開催の通知を受けると、特番テーブルに記憶するグループ呼び出し特番に対応するメンバーの呼び出し番号に基づいて、広域グループ会議呼出を発信した通信端末を除いて当該広域グループに属する当該グループのメンバーの通信端末に通知を送信し、更に当該通知への応答を広域通信中継局に送信する通信中継局であることを特徴とする通信システムであり、複数の通信中継局との間で広範囲に渡り大規模なグループ会議通話を行うことができる。
【００１３】
また、本発明は、上記通信システムにおいて、各通信中継局は、広域グループ会議通話時に、広域グループ内の自局で認識する通信端末の音声データを合成して広域通信中継局に送信し、音声データを送信元となる通信端末を除いた通信端末に送信すると共に、広域通信中継局から受信した音声データを通信端末に送信する通信中継局であり、広域通信中継局は、各通信中継局から送信された音声データの内で、音声データの送信元となる通信中継局からの音声データを除いた音声データの合成を各通信中継局に対応して行い、送信元の通信中継局各々に対応して送信する広域通信中継局であって、広域グループ内の自局で認識する通信端末の音声データを各通信中継局に送信する音声データに合成して送信すると共に、自局内の通信端末の音声データを送信元となる通信端末を除いた自局内の通信端末に送信すると共に、他の全ての通信中継局から受信した音声データを合成して自局内の通信端末に送信する広域通信中継局であり、広域グループ会議通話時に会議に参入している各々の通信端末は他の通信端末の音声データを全て受信することができる。
【００１４】
【発明の実施の形態】
本発明の実施の形態について図面を参照しながら説明する。
本発明の実施の形態に係る通信システムは、複数のＣＳを有する通信システムにおいて、異なるＣＳに接続されているＳＣＳを専用線で接続し、ＣＳの一つを広域グループ会議通話の通信制御を行うセンター局とし、広域グループ呼び出しがあると、センター局から各ＣＳで管理しているグループのメンバーの通信端末を呼び出し、応答のあった通信端末間で広域グループ会議通話を行うものであり、これにより広範囲で大規模なグループ会議を行うことができる。
【００１５】
また、各ＣＳは、管理しているグループのメンバーの通信端末から送信された音声データ又は他のＣＳから送信された音声データから、出力先別に音声データを選択して時分割で合成し、得られた出力先別の合成結果を時分割で出力するものであり、会議に参入している各々の通信端末は他の通信端末の音声データを全て受信することができる。
【００１６】
なお、請求項における通信中継局は、本発明の中央装置及び副装置に相当し、広域通信中継局はセンター局の中央装置及び副装置に、音声合成回路は音声合成ＬＳＩに、音声合成時分割スイッチはデータ出力時分割スイッチに相当する。
【００１７】
本発明の実施の形態に係る通信システムの構成について、図１を用いて説明する。図１は、本発明の実施の形態に係る、異なる二つのＣＳ間における広域グループ会議を行う通信システムの構成ブロック図である。
本発明の実施の形態に係る通信システムは、中央装置すなわちＣＳ１０及び２０と、副装置すなわちＳＣＳ１５及び２５と、各ＣＳで認識されている通信端末とから構成される。
中央装置（図ではＣＳ１、ＣＳ２、以下ＣＳという）１０及び２０は、ＰＢＸで管理されている内線端末及び他の通信端末間の通信制御を行う装置である。
【００１８】
副装置（図ではＳＣＳ１、ＳＣＳ２、以下ＳＣＳという）１５及び２５は、各ＣＳで認識される通信端末との通信インターフェース（図示せず）を有しており、各通信端末との通信を行い、ＣＳ内にあるＳＣＳインターフェースを介して、ＣＳとの通信データの送受信を行う。
また本発明の実施の形態に係る通信システムでは、ＳＣＳ１５と２５は、専用線によってメッシュ接続で結ばれており、このような構成により他のＣＳで認識される通信端末の呼び出し及び音声データの送受信が可能となる。
本発明の通信システムにおいて、ＳＣＳ同士は通信端末及び音声データの送受信が可能であれば、他の通信手段、例えば無線通信等を用いて通信をおこなってもよい。
【００１９】
なお、図１では、通信端末については明示していないが、通信端末としては従来と同様、ＰＢＸ管理下の内線端末、無線通信端末又は有線電話機等が挙げられる。
またＳＣＳ１５及び２５は、一つのＣＳに対して、通信端末の種類や数、設置場所に応じて複数個設けてもよい。
【００２０】
さらにＣＳの構成について、ＣＳ１０を例に説明する。ＣＳ１０は、制御部１１と、時分割スイッチ１２と、会議トランク１３と、ＳＣＳインターフェース（図ではＳＣＳ  Ｉ／Ｆ）１４とから構成される。またＣＳ２０の構成は、ＣＳ１０と同一であるので、対応する装置についての説明は省略する。
【００２１】
ＣＳ１０とＳＣＳ１５内の各通信端末との通信インターフェースは、音声データの流れる高速の通話路、例えばＰＣＭ（Pulse Code Modulation）ハイウエイ／チャネルで接続されている。どのハイウエイ／チャネルを用いて通信を行うかの決定は、ＣＳ１０の制御部１１及び時分割スイッチ１２によって制御される。
【００２２】
制御部１１は、時分割スイッチ１２や会議トランク１３、又はＳＣＳインターフェース１４を介してＳＣＳ１５内の各通信端末との通信インターフェースに制御命令を発信することにより、ＰＢＸ端末と他の通信端末、あるいは他の通信端末間の通信制御を行う。
【００２３】
制御部１１には、ＣＳ１０で認識できる通信端末やグループ会議の呼び出し番号等の情報が登録されており、この登録情報に基づいて制御部１１は呼び出し通知のあった通信端末の認識や通信データの出力先の決定を行う。
ＣＳ１０で管理されるグループは、制御部１１に情報が登録されている通信端末で構成される。制御部１１は、グループ会議の呼び出し通知時には、グループのメンバーのうち、グループ会議呼び出しを行った通信端末を除いた通信端末全てを呼び出す。
【００２４】
本発明の特徴として、制御部１１には、他のＣＳで管理されるグループの情報が登録されており、ＣＳ１０は自局のグループ及びこれらのグループで構成される広域グループを認識することができる。さらに制御部１１では、広域グループに含まれるグループを呼び出すための広域グループ呼び出し番号も登録されている。
制御部１１では、ＣＳ２０で管理されるグループの情報が登録されており、広域グループ呼び出し時にはＣＳ２０で管理されるグループに対し広域グループ呼び出し通知を行う。
【００２５】
また制御部１１は、ＳＣＳ１５内の各通信端末とのインターフェースと制御信号線（図示せず）で接続されており、呼設定信号等の制御信号を各通信端末とのインターフェースに出力し、制御を行う。
さらに制御部１１は、時分割スイッチ１２に対しては、合成された音声データの出力先及び出力するハイウエイ／チャネルの制御命令を、会議トランク１３に対しては、出力先毎に合成する対象の音声データを決定する制御命令をそれぞれ出力する。
【００２６】
時分割スイッチ１２は、グループ会議通話において、制御部１１の制御命令に基づいて出力先のハイウエイ／チャネルを時分割で切り替えることにより、会議トランク１３から出力された各通信端末からの合成音声データを送信先の通信端末へ出力する。
【００２７】
会議トランク１３は、ＣＳ１０内で認識される通信端末間でのグループ会議通話において、制御部１１の制御命令に基づいて各通信端末からの音声データを合成して、合成結果を時分割スイッチ１２に出力する。
【００２８】
ＳＣＳインターフェース１４は、ＳＣＳ１５との通信インターフェースであり、ＳＣＳ１５を介した通信端末との通信データの送受信を行う。
【００２９】
図２は会議トランク１３の構成ブロック図である。会議トランク１３は、データ出力時分割スイッチ３１と、音声合成ＬＳＩ（Large Scale Integrated circuit）３２と、ＭＰＵ（Micro Processing Unit）３３とから構成される。会議トランク１３を構成するそれぞれの装置は、ＰＣＭハイウェイで接続されている。
【００３０】
データ出力時分割スイッチ３１は、ＭＰＵ３３の制御に基づいて、ＳＣＳインターフェース１４から出力された各通信端末の音声データを時分割で切り替えて音声合成ＬＳＩ３２に出力し、また音声合成ＬＳＩ３２で合成された音声データを時分割で切り替えて、指定されたＰＣＭハイウェイを用いて時分割スイッチ１２に出力する。
【００３１】
音声合成ＬＳＩ３２は、ＭＰＵ３３の制御に基づいて、データ出力時分割スイッチ３１から出力された音声データを合成し、合成した音声データをデータ出力時分割スイッチ３１に出力する。
【００３２】
ＭＰＵ３３は、データ出力時分割スイッチ３１及び音声合成ＬＳＩ３３に対して、合成対象となる音声データの選択及び音声データの入出力のタイミングの制御を行う。ＭＰＵ３３には制御部１１からの制御命令が入力され、この制御命令に基づいて合成対象となる音声データが決定される。
【００３３】
次に本発明の実施の形態の通信システムにおける広域グループ会議の動作について、図１〜図３を用いて説明する。
図１において、ＣＳ１０で認識されるいずれかの通信端末から広域グループ呼び出し番号が発信、すなわち広域グループ呼び出しが発信されると、広域グループ呼び出しはＳＣＳ１５、ＣＳ１０内のＳＣＳインターフェース１４を経由して、制御部１１に到達する。
【００３４】
制御部１１は広域グループ呼び出しのあった旨を認識すると、ＣＳ１０でのグループ会議を行っていない場合は、ＣＳ１０で管理されているグループのメンバーの全ての通信端末のうち、広域グループ呼び出しのあった通信端末以外の通信端末についてＳＣＳインターフェース１４を経由してグループ呼び出し通知を行い、応答のあった通信端末間で広域グループ会議通話を開始する。
既にＣＳ１０でのグループ会議を行っているか、広域グループ会議を行っている場合は、制御部１１は広域グループ呼び出しのあった通信端末を広域グループ会議通話に参入させる制御を行う。
【００３５】
さらに制御部１１は、ＣＳ２０へ広域グループ呼び出し通知を行う。広域グループ呼び出し通知はＳＣＳインターフェース１４、ＳＣＳ１５を経由して専用線を通り、さらにＳＣＳ２５、ＣＳ２０内のＳＣＳインターフェース２４を経由して、制御部２１に到達する。
【００３６】
制御部２１では広域グループ呼び出し通知のあった旨を認識すると、ＣＳ２０でのグループ会議を行っていない場合は、ＣＳ２０の全ての通信端末をＳＣＳインターフェース２４を経由してグループ呼び出し通知を行い、応答のあった通信端末間で広域グループ会議通話を開始する。
既にグループ会議を行っている場合は、制御部２１は実行中のグループ会議を広域グループ会議に参入させる処理を行う。このような処理により、各ＣＳで管理されている通信端末間で通信可能な状態となるため、異なるＣＳ間での広域グループ会議通話を行うことができる。
【００３７】
本発明の実施の形態に係る通信システムでは、制御部に他のＣＳで管理されるグループの情報が登録されていないＣＳが広域グループ呼び出しを受けたとき、すなわち図１ではＣＳ２０で認識できる通信端末から広域グループ呼び出しが行われた場合、制御部２１は他のＣＳで管理されるグループの情報が登録されているＣＳ、すなわちＣＳ１０に対して広域グループ呼び出しを行う。
このような処理を行うことにより、広域グループのメンバーに直接広域グループ呼び出し通知を行うことができないＣＳで認識される通信端末からも、広域グループ呼び出しを発信して、広域グループ会議通話を開始することができる。
【００３８】
次に広域グループ会議通話における音声データの合成及び通信方法について図２及び図３を用いて説明する。
広域グループ会議通話時にＣＳ１０又はＣＳ２０で管理されている通信端末からＣＳ１０宛てに送信された音声データは、ＳＣＳ１５及びＳＣＳインターフェース１４を経由して会議トランク１３に出力される。
【００３９】
音声データは会議トランク１３において、まずデータ出力時分割スイッチ３１に出力される。データ出力時分割スイッチ３１は、ＭＰＵ３３の制御に基づいて、入力された音声データを時分割で音声合成ＬＳＩ３２に出力する。また音声合成ＬＳＩ３２は、ＭＰＵ３３の制御に基づいて、データ出力時分割スイッチ３１から出力された音声データを合成して、合成結果をデータ出力時分割スイッチ３１に出力する。
【００４０】
図３は、会議トランク１３における音声データの合成処理過程を示した図である。広域グループ会議通話に参加している３つの通信端末Ａ、Ｂ、Ｃから送信された音声データは、会議トランク１３のデータ出力時分割スイッチ３１において、時分割でＡ、Ｂ、Ｃの順に音声合成ＬＳＩ３２に出力される。ここで通信端末Ａ、Ｂ、Ｃは、どのＣＳで管理されている通信端末であるかは問わない。
【００４１】
音声合成ＬＳＩ３２は、合成結果の出力先以外の通信端末から送信された音声データを合成して、出力する。例えばグループ会議を実現するには、通信端末Ａには通信端末Ｂ及びＣから送信された音声データが最低限必要であるから、これらの通信端末からの音声データの合成結果が出力される。同様に通信端末Ｂには通信端末Ａ及びＣの、通信端末Ｃには通信端末Ａ及びＢの音声データの合成結果が出力される。合成前の音声データが時分割で音声合成ＬＳＩ３２に入力されるため、合成後の音声データも時分割で出力される。
【００４２】
図１の通信システムで行われる音声データの合成では、ＣＳ２０はＣＳ１０に対し、自局のグループのうち、広域グループ会議通話に参入している全ての通信端末からの音声データを合成して出力する。ＣＳ１０はＣＳ２０に対し、ＣＳ２０から出力された、合成された音声データ以外の音声データ、すなわち自局のグループのうち、広域グループ会議通話に参入している全ての通信端末からの音声データを合成して出力する。
また各ＣＳは、広域グループ会議通話に参入している自局のグループの通信端末に対して、各通信端末からの音声データのうち、音声データの送信元となる通信端末以外からの音声データの合成を通信端末毎に行い、出力する。ここで合成対象となる音声データには、他のＣＳからの合成された音声データも含まれる。
【００４３】
このような合成処理によって、各通信端末では、自身の送信する音声データ以外、すなわち広域グループ会議に参加している他の通信端末から送信された音声データをまとめて受信することができる。
音声データの出力先と、合成する音声データの選択は、ＣＳ１０の制御部１１から広域グループ会議に参加中の通信端末の情報が会議トランク１３のＭＰＵ３３に出力され、これに基づいてＭＰＵ３３が音声合成ＬＳＩ３２を制御することで実現される。
【００４４】
音声合成ＬＳＩ３２で合成された音声データは、データ出力時分割スイッチ３１に出力されると、ＭＰＵ３３の制御に基づいて、指定されたＰＣＭハイウェイに時分割で切り替えて時分割スイッチ１２に出力する。
時分割スイッチ１２は、会議トランク１３に通じている、合成された音声データが出力されるＰＣＭハイウェイ／チャネルに対して、どの通信端末に通じるＰＣＭハイウェイ／チャネルに接続するかを、制御部１１の制御命令に基づいて、時分割で切り替えて決定、接続する。
【００４５】
例えば出力先がＣＳ１０で認識される通信端末である場合、時分割スイッチ１２はＳＣＳ１５内の出力先の通信インターフェースにつながるＰＣＭハイウェイ／チャネルに接続し、出力先の通信端末に合成された音声データを出力する。出力先がＣＳ２０で認識される通信端末である場合、時分割スイッチ１２はＳＣＳ２５に接続されている専用線につながるＰＣＭハイウェイ／チャネルに接続し、合成された音声データをＳＣＳ２５に出力する。
上述した音声データの合成処理の動作はＣＳ２０内でも行われ、互いに音声データを合成、出力する動作を繰り返すことによって、広域グループ会議通話を実現することができる。
【００４６】
本発明の実施の形態の通信システムによれば、異なるＣＳに接続しているＳＣＳ同士を専用線で接続し、広域グループ会議呼び出し時に各ＣＳで管理しているグループのメンバーの通信端末を呼び出し、応答のあった通信端末間で広域グループ会議通話を行うようにしたことにより、従来よりも広範囲に渡って、大規模なグループ会議を行える効果がある。
本発明の通信システムは、広範囲に渡って連絡を取り合いながら作業を行う場合、例えば多地点間の会議や機器のメンテナンス作業等に用いることが好適である。
【００４７】
また各ＣＳは、広域グループ会議通話時に、他のＣＳから送信された音声データと、自局のグループのメンバーの通信端末からの音声データのうち、音声データの送信元の通信端末からの音声データ以外の音声データを会議トランクにおいて時分割に合成し、合成した音声データを時分割で自局のグループの通信端末に出力するようにしたことにより、会議に参入している各々の通信端末は、会議に参入している他の通信端末の音声データを受信できる。
このような構成としたことにより、各通信端末は自己の音声データを含めた合成結果を受信することがないため、ハウリングによる雑音の発生を防ぐことができ、広域グループ会議通話においても良質な音声データの合成結果を得ることができる効果がある。
【００４８】
本発明の通信システムは、３つ以上のＣＳ間においても広域グループ会議通話を実現することができるものである。次に、本発明の実施の形態に係る通信システムの運用例について図４〜図９を用いて説明する。
【００４９】
図４は、本発明の実施の形態に係る通信システムを用いた広域グループ会議の通信ネットワーク構成図である。また図５は、図４の通信ネットワークで用いられるＣＳ及び通信端末の呼び出し番号の一覧表を示した図である。
図４の通信ネットワーク構成図において、各ＣＳは通信端末及び他のＣＳと直結しているように示されているが、実際には各ＣＳには１個以上のＳＣＳが接続されており、ＳＣＳを介して通信端末及び他のＣＳと通信を行っている。
【００５０】
図４の通信ネットワークは、ＣＳ４１、４３、４５（図ではＣＳ１〜ＣＳ３）の３つのＣＳを有しており、各ＣＳはＳＣＳを介して専用線で結ばれている。また各ＣＳの構成は図１に示したものと同一である。
ＣＳ４１には無線通信端末（図ではＰＳ）５１及び５２、ＰＢＸ（図ではＰＢＸ１）４２を介して内線端末（図ではＰ）５３が、ＣＳ４３には無線通信端末５４及び５５、有線端末（図ではＴ）５６、ＰＢＸ（図ではＰＢＸ２）４４を介して内線端末５７及び５８が、ＣＳ４５には無線通信端末５９、ＰＢＸ（図ではＰＢＸ３）４６がそれぞれ接続されている。
既述したように、実際にはこれらの端末はＳＣＳ内の通信インターフェースを介して各ＣＳとの通信を行っている。また各通信端末の右側に記載されている番号は、対応する端末の呼び出し番号である。
【００５１】
図５において、図５（ａ）は各通信端末及びグループ呼び出しの番号一覧を、図５（ｂ）〜（ｄ）はそれぞれのＣＳ内の制御部で記憶されているグループ呼び出し番号のテーブル（以下、特番テーブルという）を表している。各ＣＳにおいて、ＣＳの認識できる通信端末は特番テーブルに記憶されているグループ呼び出し番号に基づいて、呼び出し番号に対応するグループのメンバーの通信端末を呼び出すことができる。
【００５２】
グループ呼び出し番号は先頭が＃（シャープ）で始まっており、この番号をグループのメンバーの通信端末が発信することにより、対象となるグループのメンバーの他の通信端末を一斉に呼び出すことができる。本運用例では、各ＣＳで管理しているグループのメンバーの通信端末を呼び出すための呼び出し番号は「グループ呼び出し特番」と称しており、ＣＳ４３、４５のグループ呼び出し特番はそれぞれ＃２６６６、＃３６６６となっている。
【００５３】
ＣＳ４１はセンター局と称し、他のＣＳで管理されているグループのメンバーの通信端末を呼び出し、広域グループ会議を行う権限を持つ「広域グループ呼び出し特番」が呼び出されたときの通信処理を行うＣＳである。本運用例では広域グループ呼び出し特番は＃１６６６であり、広域グループ呼び出し特番はＣＳ４３、４５の各特番テーブルにも「他ＣＳ呼出特番」として記憶されている。
また広域グループ呼び出し特番＃１６６６は、ＣＳ４１のグループ呼び出し特番でもあり、ＣＳ４１で管理されるグループのメンバーの通信端末を呼び出すことができる。
【００５４】
すなわちＣＳ４１は、広域グループ呼び出しを受けると、図５（ｂ）に示されている特番テーブルに従い、ＣＳ２及びＣＳ３の他ＣＳ呼出特番を発信することによってＣＳ２及びＣＳ３のグループのメンバーの通信端末を一斉に呼び出すことができる。よってＣＳ１の特番テーブルには、他のＣＳで管理されているグループのメンバーの通信端末の呼び出し番号を逐一登録する必要はない。
【００５５】
ＣＳ４３又はＣＳ４５で管理されているグループのメンバーから広域グループ呼び出し特番が呼び出された場合、ＣＳ４３又はＣＳ４５はＣＳ４１を呼び出して広域グループ会議の呼び出しを行う。ＣＳ４１の管理するグループのメンバーから広域グループ呼び出し特番が呼び出された場合にも同様の動作を行う。
ＣＳ４１は広域グループ会議呼び出しを認識すると、ＣＳ４１の特番テーブルに記憶されている他ＣＳ呼出特番、すなわちＣＳ４３、４５のグループ呼び出し特番での呼び出しを行う。この呼び出しと重複しないよう、各ＣＳはＣＳ４１以外のＣＳからのグループ呼び出し特番は受け付けないようにする必要がある。
【００５６】
次に本発明の実施の形態に係る通信システムの運用例における動作について、事例毎に説明する。尚、各ＣＳ内における呼び出し通知処理及び音声データの合成処理動作については、図１の通信システムと同様であるので、詳細な説明は省略する。
【００５７】
まず、本運用例における広域グループ呼び出し通知時の動作について図６を用いて説明する。図６は、広域グループ呼び出し通知時の各ＣＳの会議トランクに収容される呼び出し番号の情報を示した図である。この事例では、図４の通信ネットワーク上では、広域グループ会議通話は行われていないことを前提とする。
ＣＳ４３で管理するグループのメンバーである、無線通信端末５５から広域グループ呼び出し特番＃１６６６が発信されると、発信要求を受けたＣＳ４３は、図５（ｃ）の特番テーブルに基づいて、他ＣＳ呼出特番として記憶されている広域グループ呼び出し特番＃１６６６へ発信する。
【００５８】
センター局であるＣＳ４１は、広域グループ呼び出し特番を受信すると、呼出通知のあった無線通信端末の情報をＣＳ４３から受信し、呼び出し番号を会議トランクに収容する。会議トランクへの呼び出し番号の収容は、会議トランク内のＭＰＵにおいて行われる。以上の動作が終了した時点での各ＣＳの会議トランクの収容情報は、図６（１）の通りになる。
【００５９】
ＣＳ４１はさらに、自身の特番テーブル図５（ｂ）に基づいて、グループ呼出特番＃１６６６のメンバーについて呼び出し番号を発信することにより呼び出しを行う。すなわち自局のメンバーである無線通信端末５１及び５２と、内線端末５３と、ＣＳ４３及び４５で管理されているグループに呼び出しを行う。
【００６０】
ＣＳ４３はＣＳ４１からグループ呼び出し特番＃２６６６を受信すると、ＣＳ４３で管理しているグループのメンバーのうち、広域グループ呼び出しのあった無線通信端末５５以外の通信端末に呼び出しを行い、一定時間経過後、他ＣＳ呼び出し特番と共に応答のあった通信端末について呼び出し番号を会議トランクに収容する。呼び出しの結果、メンバーである通信端末全てから応答があった場合、各ＣＳの会議トランクの収容情報は図６（３）の通りになる。
【００６１】
ＣＳ４５はＣＳ４１からグループ呼び出し特番＃３６６６を受信すると、ＣＳ４５で管理しているグループのメンバーに呼び出しを行い、一定時間経過後、他ＣＳ呼び出し特番と共に応答のあった通信端末について呼び出し番号を会議トランクに収容する。
呼び出しの結果、メンバーである通信端末全てから応答がなかった場合、各ＣＳの会議トランクの収容情報は図６（４）の通りになる。
【００６２】
ＣＳ４１は、グループ呼出特番＃１６６６のメンバーについての呼び出しを行い、一定時間経過後応答のあった通信端末及びＣＳについて呼び出し番号を会議トランクに収容する。
呼び出しの結果、ＣＳ４１の管理するグループのメンバーである通信端末全てから応答があった場合、既にＣＳ４３ではグループ内で応答のあった通信端末が存在するため、各ＣＳの会議トランクの収容情報は図６（５）の通りになる。図７は、上述した広域グループ呼び出し動作における通信状況を表した図である。
【００６３】
上述した一連の動作により、広域グループ会議通話を行うことが可能となり、以後各ＣＳで音声データの送信及び合成処理が行われる。音声データの合成処理は、各ＣＳで収容されている呼び出し番号毎に行われる。
【００６４】
すなわちセンター局以外の各ＣＳでは、自局のグループのうち、広域グループ会議通話に参入している全ての通信端末からの音声データを合成してセンター局に出力する。センター局には他のＣＳからの合成された音声データが入力されるため、各ＣＳに対して、各ＣＳから出力された音声データのうち、音声データの送信元となるＣＳから出力された音声データ以外の音声データと、センター局で認識できる通信端末からの音声データとの合成をＣＳ毎に行い、出力する。
また、センター局及び各ＣＳでは、広域グループ会議通話に参入している自局のグループの通信端末に対しては、各通信端末からの音声データのうち、音声データの送信元である通信端末以外からの音声データの合成を通信端末毎に行い、出力する。ここで合成対象となる音声データには、他のＣＳからの合成された音声データも含まれる。
【００６５】
図６の例では、ＣＳ４１では、自局の管理するグループのメンバーうちの一つの通信端末には、同じメンバーである他の通信端末からの音声データと、ＣＳ４３から送信された音声データの合成結果とについて、新たに合成して出力する。同様にＣＳ４３には、自局のメンバーの通信端末全てからの音声データを合成して出力する。他のＣＳについても同様の合成処理が行われることにより、広域グループ会議通話が実現される。
【００６６】
本運用例によれば、ＳＣＳが専用線で接続されているＣＳの通信ネットワーク中、一つのＣＳをセンター局に設定し、広域グループ会議の呼び出しがあった場合、センター局で呼び出しを認識し、広域グループに登録されている各ＣＳのグループのメンバーの通信端末を呼び出し、応答のあった通信端末間で広域グループ会議通話を行うようにしたことにより、多数のＣＳ間に渡る広域グループ会議通話を効率的に行うことができる効果がある。
【００６７】
本運用例において、広域グループに登録されている各ＣＳのグループのメンバーの通信端末を呼び出すにあたり、センター局では各ＣＳのグループ呼び出し番号を登録しておけばよいため、センター局においては他のＣＳの通信端末の呼び出し番号を考慮する必要はなく、また他のＣＳにおいては自由にグループのメンバーの通信端末を設定することができるため、通信端末の種類又は通信状況等に応じた通信ネットワークを簡易に設定できる。
よって広域グループ呼び出しに際に、各ＣＳで管理しているグループのメンバーの全ての通信端末を呼び出す図１の通信システムと比較しても、通信端末からの応答までの時間を短縮でき、敏速にグループ会議を行うことができる。
【００６８】
次に、本運用例における広域グループ会議通話の終了の動作について、図８を用いて説明する。図８は、広域グループ会議通話の終了の際の各ＣＳの会議トランクに収容される呼び出し番号の情報を示した図である。
広域グループ会議通話時の各ＣＳの会議トランクの収容情報は図８（１）の通りである。すなわちこの広域グループ会議通話は、無線通信端末５５から広域グループ呼び出しを行ったものであり、現在各ＣＳで管理するグループのメンバーの通信端末全てが参入していることになる。
【００６９】
今、ＣＳ４１で管理しているグループのメンバーである、無線通信端末５１及び５２、内線端末５３が通信を終了したとする。この場合、ＣＳ４１はこれらの通信端末が通信を終了したことを認識し、会議トランクから収容している情報を消去する。この時点での各ＣＳの会議トランクの収容情報は図８（２）の通りになる。
【００７０】
さらに広域グループ呼び出しを行った無線通信端末５５が通信を終了すると、呼び出し番号情報を収容しているＣＳ４１は、会議トランクから該当する情報を消去する。この時点での各ＣＳの会議トランクの収容情報は図８（３）の通りになる。
【００７１】
ＣＳ４３で管理しているグループのメンバーである、無線通信端末５４及び５５、有線端末５６、内線端末５７が通信を終了すると、ＣＳ４３はこれらの通信端末が通信を終了したことを認識し、会議トランクから収容している情報を消去する。この時点での各ＣＳの会議トランクの収容情報は図８（４）の通りになる。
【００７２】
さらに内線端末５８も通信を終了すると、ＣＳ４３で管理しているグループのメンバーの通信端末は全て通信を終了したことになる。この場合、ＣＳ４３は全ての通信端末が通信を終了したことを認識した後、会議トランクから他ＣＳ呼出特番、すなわち広域グループ呼出特番を消去し、広域グループ会議通話を終了する。
【００７３】
ＣＳ４１では、ＣＳ４３が広域会議グループ通信を終了したことを認識して、会議トランクからＣＳ４３の他ＣＳ呼出特番を消去し、完全にＣＳ４３との通信を終了する。この時点での各ＣＳの会議トランクの収容情報は図８（５）の通りになる。
【００７４】
加えて、ＣＳ４５で管理しているグループのメンバーである、無線通信端末５９が通信を終了すると、ＣＳ４５は通信を終了したことを認識し、会議トランクから収容している該当情報を消去する。
この時点でＣＳ４３で管理しているグループのメンバーの通信端末は全て通信を終了したことになるため、ＣＳ４５は全ての通信端末が通信を終了したことを認識した後、会議トランクから他ＣＳ呼出特番、すなわち広域グループ呼出特番を消去し、広域グループ会議通話を終了する。
【００７５】
ＣＳ４１では、ＣＳ４５が広域会議グループ通信を終了したことを認識して、会議トランクからＣＳ４５の他ＣＳ呼出特番を消去し、完全にＣＳ４３との通信を終了する。既にＣＳ４１のグループのメンバーの通信端末は全て通信を終了しており、広域グループ会議通話に参入している通信端末及びＣＳは存在しないため、広域グループ会議通話は終了したことになる。広域グループ会議通話終了時点での各ＣＳの会議トランクの収容情報は図８（６）の通りになる。
【００７６】
本運用例において、センター局であるＣＳ４１は、自局のグループのメンバーの通信端末全てが通信を終了しても、他のＣＳが参入している限り広域グループ会議通話を終了しない。またＣＳ４１は、参入している他のＣＳにおいて、グループのメンバーの通信端末が全て通信を終了すると、該当するＣＳとの通信を終了する。
このような処理を行うことによって、参入している通信端末及びＣＳが存在しなくなった場合に限り、ＣＳ４１は広域グループ会議通話を終了する。このような仕様で広域グループ会議を運用することで、途中通信を終了する通信端末があっても中断することなく安定して広域グループ会議通話を行うことができる。
【００７７】
次に、本運用例における広域グループ会議通話に新たに参入する場合の動作について、図９を用いて説明する。図９は、広域グループ会議通話への参入の際の各ＣＳの会議トランクに収容される呼び出し番号の情報を示した図である。
広域グループ会議通話時の各ＣＳの会議トランクの収容情報は図９（１）の通りである。すなわちこの広域グループ会議通話は、無線通信端末５１から広域グループ呼び出しを行ったものであり、現在無線通信端末５１と、ＣＳ４３で管理しているグループのメンバーの通信端末のうち、無線通信端末５５と内線端末５７が参入していることになる。
【００７８】
今、ＣＳ４１の管理するグループのメンバーではないが、ＣＳ４１に呼び出し番号が登録されている無線通信端末より、広域グループ会議呼び出し特番が発信されたとする。
この場合、ＣＳ４１はこの無線通信端末から広域グループ会議呼び出しがあった旨を認識し、会議トランクにこの無線通信端末の呼び出し番号の情報を収容する。新たに広域グループ呼び出し番号の発信があった無線通信端末の呼び出し番号が８１００３とすると、この時点での各ＣＳの会議トランクの収容情報は図９（２）の通りになる。上述したＣＳ４１の動作により、この無線通信端末が広域グループ会議通話に参入されたことになる。
【００７９】
さらにＣＳ４１で管理しているグループのメンバーである、無線通信端末５２から広域グループ呼び出し番号が発信されると、ＣＳ４１は広域グループ会議呼び出しがあった旨を認識し、会議トランクに無線通信端末５２の呼び出し番号の情報を収容し、広域グループ会議通話に参入させる。この時点での各ＣＳの会議トランクの収容情報は図９（３）の通りになる。
【００８０】
次に、ＣＳ４３で管理しているグループのメンバーである、無線通信端末５４から広域グループ会議呼び出し番号が発信されると、ＣＳ４３は広域グループ会議呼び出しがあった旨を認識し、無線通信端末５４の呼び出し番号の情報を会議トランクに収容し、広域グループ会議通話に参入させる。この時点での各ＣＳの会議トランクの収容情報は図９（４）の通りになる。
このとき、ＣＳ４３で管理しているグループのメンバーの通信端末がＣＳ４３のグループ呼び出し番号を発信した場合においても、ＣＳ４３では通信端末を広域グループ会議通話に参入させるような仕様にしてもよい。
【００８１】
さらに、ＣＳ４３と接続しているＰＢＸ４４の管理下にある内線端末より、広域グループ会議呼び出し特番が発信されたとする。この場合、ＣＳ４３はこの内線端末から広域グループ会議呼び出しがあった旨を認識し、会議トランクにこの内線端末の呼び出し番号の情報を収容し、広域グループ会議通話に参入させる。新たに広域グループ呼び出し番号の発信があった内線端末の呼び出し番号が９２００２とすると、この時点での各ＣＳの会議トランクの収容情報は図９（５）の通りになる。
【００８２】
ＣＳ４１と接続しているＰＢＸ４２の管理下にある内線端末より、広域グループ会議呼び出し特番が発信された場合にも、ＣＳ４１はこの内線端末から広域グループ会議呼び出しがあった旨を認識し、会議トランクにこの内線端末の呼び出し番号の情報を収容し、広域グループ会議通話に参入させる。
新たに広域グループ呼び出し番号の発信があった内線端末の呼び出し番号が９１００２とすると、この時点での各ＣＳの会議トランクの収容情報は図９（６）の通りになる。
【００８３】
本運用例では、各ＣＳで管理されるグループのメンバーでの通信端末から広域グループ会議呼び出し番号が発信された場合、広域グループ会議通話が行われていれば、管理下のＣＳで新たに参入処理が行われる。広域グループ会議通話が行われていなければ、図６で示したように、広域グループ会議通話の開始動作が行われる。
【００８４】
また各ＣＳで管理されるグループのメンバーでない通信端末から広域グループ会議呼び出し番号が発信された場合でも、広域グループ会議通話が行われていれば、呼び出し番号が認知されているＣＳにおいて新たに参入処理が行われる。このような仕様で広域グループ会議通話を運用することで、より広範囲な、かつより多くの通信端末が参加できる広域グループ会議通話を行うことができる。
【００８５】
次に、本発明の通信システムの実施例について説明する。図１０は、本発明の通信システムの実施例の構成ブロック図である。本発明の通信システムの実施例は、ＣＳ６０と、ＳＣＳ７２とから構成されている。図１０は、一組のＣＳ及びＳＣＳの構成ブロック図を示しているが、ＳＣＳはＣＳ１個あたり複数個設けていてもよい。
【００８６】
ＣＳ６０内の送受信制御部７１とＳＣＳ７２内の送受信制御部７３は、光ケーブルで接続されており、音声データ及び制御命令信号の送信が可能である。また光ケーブルは本系列及び予備系列とに対応させるため、経路は二重化された構造となっている。
【００８７】
ＣＳ６０は、本系列６０−１と予備系列６０−２とが設けられ、通常時は本系列６０−１によって通信端末又は他のＣＳとの通信及び音声データの合成を行っているが、故障等により使用できない場合には、予備系列６０−２に切り替えて用いることで本系列６０−１と同様の処理を行うことができる。
【００８８】
ＣＳ６０のうち本系列６０−１の構成を説明すると、本系列６０−１は制御部６１と、タイムスイッチ６２と、受信ボタン・トーン処理部６３と、音声合成部６４と、入出力制御部６５とから構成される。尚、予備系列６０−２も本系列６０−１と同一の構成となっている。またＣＳ６０には、両系列に共通の装置として、送受信制御部７１が設けられている。
【００８９】
制御部６１は、図１の制御部に相当し、ＣＳ６０内の各装置や、送受信制御部７１を介してＳＣＳ７２内の各通信端末との通信インターフェース７５−１〜７５−ｎに制御命令を発信することにより、ＰＢＸ端末と他の通信端末、あるいは他の通信端末間の通信制御を行う。
ＣＳ６０で認識できる通信端末又はグループ会議の呼び出し番号（広域グループ呼び出し番号も含む）等の登録情報を格納している点も図１の制御部と同様である。
【００９０】
タイムスイッチ６２は、図１の時分割スイッチに相当し、グループ会議通話において、制御部１１の制御命令に基づいて出力先のハイウエイ／チャネルを時分割で切り替えることにより、音声合成部６４から出力された各通信端末からの合成音声データを送信先の通信端末へ出力する。
【００９１】
受信ボタン・トーン処理部６３は、制御部１１の制御命令に基づいてプッシュボタン信号の受信処理やトーンの発生処理を行い、通信端末との接続処理等の際に処理結果を送信する。
【００９２】
音声合成部６４は、図１の会議トランクに相当し、グループ会議通話において、各通信端末からの音声データを合成して、合成結果をタイムスイッチ６２に出力する。音声合成部６４の構成は、図２で示される会議トランクの構成と同一である。
【００９３】
入出力制御部６５は、ＳＣＳ７２への音声データ又は制御命令信号の入出力制御を行う装置であり、送受信制御部７１は光伝送通信におけるデータの送受信を制御する装置であり、ＳＣＳ７２を介した通信端末とのデータの送受信を行う。入出力制御部６５と送受信制御部７１はそれぞれ、図１の制御部とＳＣＳインターフェースに相当する。
【００９４】
また、ＣＳ６０において、制御部６１と入出力制御部６５とは内部ＬＡＮで接続されており、この内部ＬＡＮはＣＳ６０の外部にある機器への接続が可能である。外部の機器として、管理用コンソール、アラームパネル又は位置検索端末等に接続することで、グループ会議通話の通信範囲や通信負荷状況等を監視することができる。
またタイムスイッチ６２、受信ボタン・トーン処理部６３及び音声合成部６４と、送受信制御部７１の間はそれぞれ３２ＭｂｐｓのＰＣＭハイウェイによって接続されており、音声データの合成処理を高速で行うことができる。
【００９５】
一方、ＳＣＳ７２は送受信制御部７３と、専用線インターフェース（図では専用線Ｉ／Ｆ）７４と、端末インターフェース（図では端末Ｉ／Ｆ）７５−１〜７５−ｎとから構成されている。また端末インターフェース７５−１〜７５−ｎには副数種の通信端末が接続されているが、図１０では省略している。
送受信制御部７３は、ＣＳ６０の送受信制御部７１と同様、光伝送通信におけるデータの送受信を制御する装置であり、送受信制御部７１とペアで光伝送によるデータの送受信を行う。
【００９６】
専用線インターフェース７４は、専用線を介したデータの送受信を制御する装置であり、専用線インターフェース７４には、他のＣＳに接続されているＳＣＳや、ＰＢＸが接続されている。
端末インターフェース７５−１〜７５−ｎは、各種の通信端末とのデータの送受信を制御する装置である。端末インターフェース７５−１〜７５−ｎは通信端末の種類によって異なるものを用いている。また端末インターフェース７５−１〜７５−ｎには、通信端末の他に管理用のコンソールなどを接続してもよい。
ＳＣＳ７２において、送受信制御部７３と専用線インターフェース７４及び端末インターフェース７５−１〜７５−ｎの間は２ＭｂｐｓのＰＣＭハイウェイが接続されており、各種通信端末又はＣＳとの音声データの高速通信が可能である。
【００９７】
本発明の通信システムの実施例における広域グループ会議通話の動作については、通話接続の際に受信ボタン・トーン処理部６３を用いてプッシュボタン信号の受信処理やトーンの発生処理を行うことを除けば、既述した実施の形態又は運用例の動作と同一であるので、詳細な説明は省略する。
【００９８】
本発明の通信システムの実施例によれば、ＣＳ６０を本系列と予備系列の二重化したと構成することにより、故障等により一方の系列が使用できなくなった場合でも安定してグループ会議通話の制御を行うことができる。
【００９９】
【発明の効果】
本発明によれば、複数の通信端末を認識し、通信端末における通話を制御すると共に、複数の通信端末内で構成されるグループ内でのグループ会議通話を制御する通信中継局を複数備え、異なるグループに属する通信端末間のグループ会議通話が可能な通信システムであって、複数の通信中継局の中で、通信中継局をまたがって広域にグループ会議通話が為される広域グループを管理し、広域グループ会議を行う権限を持つ広域グループ呼び出し特番と自通信中継局が管理するグループ呼び出し特番と当該特番に対応するメンバーの呼び出し番号を記憶する特番テーブルを備え、特番テーブルに記憶する広域グループ呼び出し特番が呼び出される広域グループ会議呼出を受けると特番テーブルに基づいて広域グループ呼び出し特番に対応した関連するグループの通信中継局へ広域グループ会議開催を通知し、当該通知に応答があった通信中継局との通信を確立する通信中継局を広域通信中継局とし、グループ内の通信端末から広域グループ会議呼出を受けた通信中継局は、広域グループ呼び出し特番とグループ呼び出し特番とメンバーの呼び出し番号を記憶する特番テーブルに基づいて広域通信中継局に当該広域グループ会議呼出の広域グループ呼び出し特番を発信し、広域通信中継局から広域グループ会議開催の通知を受けると、特番テーブルに記憶するグループ呼び出し特番に対応するメンバーの呼び出し番号に基づいて、広域グループ会議呼出を発信した通信端末を除いて当該広域グループに属する当該グループのメンバーの通信端末に通知を送信し、更に当該通知への応答を広域通信中継局に送信する通信中継局である通信システムとすることにより、複数の通信中継局との間で広範囲に渡り大規模なグループ会議通話を行うことができる効果がある。
【０１００】
また、本発明によれば、各通信中継局は、広域グループ会議通話時に、広域グループ内の自局で認識する通信端末の音声データを合成して広域通信中継局に送信し、音声データを送信元となる通信端末を除いた通信端末に送信すると共に、広域通信中継局から受信した音声データを通信端末に送信する通信中継局であり、広域通信中継局は、各通信中継局から送信された音声データの内で、音声データの送信元となる通信中継局からの音声データを除いた音声データの合成を各通信中継局に対応して行い、送信元の通信中継局各々に対応して送信する広域通信中継局であって、広域グループ内の自局で認識する通信端末の音声データを各通信中継局に送信する音声データに合成して送信すると共に、自局内の通信端末の音声データを送信元となる通信端末を除いた自局内の通信端末に送信すると共に、他の全ての通信中継局から受信した音声データを合成して自局内の通信端末に送信する広域通信中継局である上記通信システムとすることにより、広域グループ会議通話時に会議に参入している各々の通信端末は他の通信端末の音声データを全て受信することができる効果がある。
【図面の簡単な説明】
【図１】本発明の実施の形態に係る、異なる二つのＣＳ間における広域グループ会議を行う通信システムの構成ブロック図である。
【図２】会議トランク１３の構成ブロック図である。
【図３】会議トランク１３における音声データの合成処理過程を示した図である。
【図４】本発明の実施の形態に係る通信システムを用いた通信ネットワーク構成図である。
【図５】図４の通信ネットワークで用いられるＣＳ及び通信端末の呼び出し番号の一覧表を示した図である。
【図６】広域グループ呼び出し通知時の各ＣＳの会議トランクに収容される呼び出し番号の情報を示した図である。
【図７】上述した広域グループ呼び出し動作における通信状況を表した図である。
【図８】広域グループ会議通話の終了の際の各ＣＳの会議トランクに収容される呼び出し番号の情報を示した図である。
【図９】広域グループ会議通話への参入の際の各ＣＳの会議トランクに収容される呼び出し番号の情報を示した図である。
【図１０】本発明の通信システムの実施例の構成ブロック図である。
【図１１】グループ会議を行う従来の通信システムの構成ブロック図である。
【符号の説明】
１０，２０，４１，４３，４６，６０，８０…中央装置、  １１，２１，６１，６６，８１…制御部、  １２，２２，８２…時分割スイッチ、  １３，２３，８３…会議トランク、  １４，２４，８４…副装置インターフェース、  １５，２５，７２，８５…副装置、  ３１…データ出力時分割スイッチ、  ３２…音声合成ＬＳＩ、  ３３…ＭＰＵ、  ４２，４４，４６，９４…ＰＢＸ、  ５１，５２，５４，５５，５９，９２…無線端末、  ５３，５７，５８，９５…内線端末、  ５６，９３…有線電話器、  ６２，６７…タイムスイッチ、  ６３，６８…受信ボタン・トーン処理部、  ６４，６９…音声合成部、  ６５，７０…入出力制御部、  ７１，７３…送受信制御部、  ７４…専用線インターフェース、  ７５…端末インターフェース、  ９１…基地局
【図１】
0004516227.tif 000002
【図２】
0004516227.tif 000003
【図３】
0004516227.tif 000004
【図４】
0004516227.tif 000005
【図５】
0004516227.tif 000006
【図６】
0004516227.tif 000007
【図７】
0004516227.tif 000008
【図８】
0004516227.tif 000009
【図９】
0004516227.tif 000010
【図１０】
0004516227.tif 000011
【図１１】
0004516227.tif 000012